(57)【要約】【課題】複数のコードブロックで構成されるトランスポートブロックの送受信を行なう際、一部のコードブロックの送受信が失敗した場合でも、効率的な通信を行なう。【解決手段】トランスポートブロックを複数のコードブロックに分割し、前記各コードブロックに対して誤り訂正符号化を行なった後、前記各コードブロックを結合してトランスポートブロックを構成し、前記構成したトランスポートブロックを受信装置に対して送信する送信装置１００であって、前記分割されたコードブロックのうち、前記受信装置に対して送信するコードブロックのみを選択するトランスポートブロック送信処理部１０１と、前記選択されたコードブロックのみで構成されたトランスポートブロックを前記受信装置に対して送信する送信部１０２、１０４、１０５と、を備える。【選択図】図１
2010147755.tif 000002
【特許請求の範囲】
【請求項１】
トランスポートブロックを複数のコードブロックに分割し、前記各コードブロックに対して誤り訂正符号化を行なった後、前記各コードブロックを結合してトランスポートブロックを構成し、前記構成したトランスポートブロックを受信装置に対して送信する送信装置であって、
前記分割されたコードブロックのうち、前記受信装置に対して送信するコードブロックのみを選択するトランスポートブロック送信処理部と、
前記選択されたコードブロックのみで構成されたトランスポートブロックを前記受信装置に対して送信する送信部と、を備えることを特徴とする送信装置。
【請求項２】
前記トランスポートブロック送信処理部は、前記受信装置に対して送信するコードブロックまたは前記受信装置に対して送信しないコードブロックの少なくとも一方を示すコードブロック送信情報を出力し、
前記送信部は、前記コードブロック送信情報を、前記選択されたコードブロックのみで構成されたトランスポートブロックと共に前記受信装置に送信することを特徴とする請求項１記載の送信装置。
【請求項３】
前記トランスポート送信処理部は、前記受信装置から、受信に失敗したコードブロックを示すコードブロック受信結果情報が通知された場合は、前記分割されたコードブロックのうち、受信に失敗したコードブロックのみを前記受信装置に対して送信するコードブロックとして選択することを特徴とする請求項１または請求項２記載の送信装置。
【請求項４】
請求項２または請求項３記載の送信装置から送信されたトランスポートブロックおよびコードブロック送信情報を受信する受信部と、
前記受信したトランスポートブロックを、前記コードブロック送信情報に基づいて各コードブロックに分離し、各コードブロックに対して誤り訂正復号処理を行なうトランスポートブロック受信処理部と、を備えることを特徴とする受信装置。
【請求項５】
前記トランスポートブロック受信処理部は、前記受信したトランスポートブロックを構成するコードブロックのうち、受信に成功したコードブロックまたは受信に失敗したコードブロックの少なくとも一方を示すコードブロック受信結果情報を出力し、
前記出力したコードブロック受信結果情報を前記送信装置に通知することを特徴とする請求項４記載の受信装置。
【請求項６】
請求項２または請求項３記載の送信装置と、
請求項４または請求項５記載の受信装置と、から構成されることを特徴とする通信システム。
【発明の詳細な説明】
【技術分野】
【０００１】
本発明は、トランスポートブロックを送信および受信する技術に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本とした携帯電話システムの仕様を検討・作成するプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。さらに、３ＧＰＰでは、第３世代無線アクセス技術を進化させたＥ−ＵＴＲＡ（Evolved Universal Terrestrial Radio Access）およびその発展形であるＡｄｖａｎｃｅｄ Ｅ−ＵＴＲＡが検討されている。
【０００３】
図６は、非特許文献１で示されているＥ−ＵＴＲＡにおけるデータの送信方法を示す図である。図６に示すように、Ｅ−ＵＴＲＡでは、データの送受信単位としてトランスポートブロック（ＴＢ）を定義し、これを複数のコードブロック（ＣＢ）と呼ばれる小データに分割して、そのコードブロック毎に、ＣＲＣ（Cyclic Redundancy Check）の計算およびその検査ビットの付加、誤り訂正符号化処理、レートマッチング処理などの符号化処理を行ない、コードブロック毎のコードワード（符号語）を作成する。
【０００４】
その後、それらを再び一つに結合して、トランスポートブロックのコードワードを作成する。そして、そのトランスポートブロックのコードワードに対して、変調処理を行なった後、通信リソースへのマッピングを行ない、送信する。受信側では、これら動作の逆を行なって、トランスポートブロックの復元を行なう。
【０００５】
また、Ｅ−ＵＴＲＡにおいては、無線伝搬路におけるノイズの混入などにより、データの送受信が正常に行なわれなかった場合の再送方式として、ＨＡＲＱ（Hybrid Automatic Repeat reQuest）が採用されている。これによると、データの送受信に失敗した場合、受信装置から再送要求が送信装置に送信され、これを受けた送信装置が前回と同じトランスポートブロックコードワードか、もしくはＲＶ（Redundancy Version、冗長バージョン）を変えたトランスポートブロックコードワードを送信することにより、受信装置にてより誤り訂正能力を向上させてトランスポートブロックの復元処理を行なうことが可能となり、少ない再送回数で効率的にデータの送受信を行なうことができる。
【非特許文献１】3GPP TS 36.212 V8.4.0 (2008-09) Technical Specification 3rd Generation Partnership Project; Technical Specification Group Radio Access Network; Evolved Universal Terrestrial Radio Access (E-UTRA) Multiplexing and channel coding (Release 8)
【発明の開示】
【発明が解決しようとする課題】
【０００６】
しかしながら、上述したような従来の技術においては、ＨＡＲＱの再送処理はトランスポートブロック単位で行なわれるため、それを構成するコードブロックのうちひとつでも受信に失敗すると、トランスポートブロック全体の再送を行なうことになり、効率が非常に悪いという問題点があった。
【０００７】
本発明は、このような実情に鑑みてなされたものであり、複数のコードブロックで構成されるトランスポートブロックの送受信を行なう際、そのうちの一部のコードブロックの送受信が失敗した場合でも、効率的な通信を行なうことができる送信装置、受信装置および通信システムを提供することを目的とする。
【課題を解決するための手段】
【０００８】
（１）上記の目的を達成するために、本発明は、以下のような手段を講じた。すなわち、本発明の送信装置は、トランスポートブロックを複数のコードブロックに分割し、前記各コードブロックに対して誤り訂正符号化を行なった後、前記各コードブロックを結合してトランスポートブロックを構成し、前記構成したトランスポートブロックを受信装置に対して送信する送信装置であって、前記分割されたコードブロックのうち、前記受信装置に対して送信するコードブロックのみを選択するトランスポートブロック送信処理部と、前記選択されたコードブロックのみで構成されたトランスポートブロックを前記受信装置に対して送信する送信部と、を備えることを特徴としている。
【０００９】
このように、受信装置に対して送信するコードブロックのみを選択し、選択したコードブロックのみで構成されたトランスポートブロックを受信装置に対して送信するので、複数のコードブロックで構成されるトランスポートブロックの送受信を、効率的に行なうことが可能となる。
【００１０】
（２）また、本発明の送信装置において、前記トランスポートブロック送信処理部は、前記受信装置に対して送信するコードブロックまたは前記受信装置に対して送信しないコードブロックの少なくとも一方を示すコードブロック送信情報を出力し、前記送信部は、前記コードブロック送信情報を、前記選択されたコードブロックのみで構成されたトランスポートブロックと共に前記受信装置に送信することを特徴としている。
【００１１】
このように、コードブロック送信情報を、選択されたコードブロックのみで構成されたトランスポートブロックと共に受信装置に送信するので、複数のコードブロックで構成されるトランスポートブロックの送受信を、効率的に行なうことが可能となる。
【００１２】
（３）また、本発明の送信装置において、前記トランスポート送信処理部は、前記受信装置から、受信に失敗したコードブロックを示すコードブロック受信結果情報が通知された場合は、前記分割されたコードブロックのうち、受信に失敗したコードブロックのみを前記受信装置に対して送信するコードブロックとして選択することを特徴としている。
【００１３】
このように、複数のコードブロックで構成されるトランスポートブロックの一部のコードブロックのみの送受信が失敗した場合であっても、受信に失敗したコードブロックのみを受信装置に対して送信するコードブロックとして選択するので、すべてのコードブロックを再送する場合と比較して、効率的な通信を行なうことができる。
【００１４】
（４）また、本発明の受信装置は、請求項２または請求項３記載の送信装置から送信されたトランスポートブロックおよびコードブロック送信情報を受信する受信部と、前記受信したトランスポートブロックを、前記コードブロック送信情報に基づいて各コードブロックに分離し、各コードブロックに対して誤り訂正復号処理を行なうトランスポートブロック受信処理部と、を備えることを特徴としている。
【００１５】
このように、コードブロック送信情報に基づいて各コードブロックに分離し、各コードブロックに対して誤り訂正復号処理を行なうので、コードブロック毎に受信の成功または失敗を判断することができる。
【００１６】
（５）また、本発明の受信装置において、前記トランスポートブロック受信処理部は、前記受信したトランスポートブロックを構成するコードブロックのうち、受信に成功したコードブロックまたは受信に失敗したコードブロックの少なくとも一方を示すコードブロック受信結果情報を出力し、前記出力したコードブロック受信結果情報を前記送信装置に通知することを特徴としている。
【００１７】
このように、受信に成功したコードブロックまたは受信に失敗したコードブロックの少なくとも一方を示すコードブロック受信結果情報を出力し、出力したコードブロック受信結果情報を送信装置に通知するので、送信装置では、受信に失敗したコードブロックを認識することができる。これにより、送信装置は、受信に失敗したコードブロックのみを再送することができるので、効率的な通信を行なうことが可能となる。
【００１８】
（６）また、本発明の通信装置は、請求項２または請求項３記載の送信装置と、請求項４または請求項５記載の受信装置と、から構成されることを特徴としている。
【００１９】
この構成により、複数のコードブロックで構成されるトランスポートブロックの送受信を、効率的に行なうことが可能となる。
【発明の効果】
【００２０】
本発明によれば、受信装置に対して送信するコードブロックのみを選択し、選択したコードブロックのみで構成されたトランスポートブロックを受信装置に対して送信するので、複数のコードブロックで構成されるトランスポートブロックの送受信を、効率的に行なうことが可能となる。
【発明を実施するための最良の形態】
【００２１】
次に、本発明に係る実施形態について、図面を参照しながら説明する。なお、以下の説明において、本発明を移動通信システムに具現化する場合について説明するが、本発明は、これに限定されるものではない。本発明は、移動通信方法としても成立する。
【００２２】
図１は、本発明の実施形態に係る送信装置の一構成を示すブロック図である。図１に示すように、送信装置１００は、トランスポートブロック送信処理部１０１、制御情報送信処理部１０２、受信結果情報受信処理部１０３、マッピング部１０４、アンテナ部１０５で構成される。送信装置１００には、上位レイヤよりトランスポートブロックおよび制御情報が入力される。トランスポートブロックは、送信するデータであり、制御情報は、トランスポートブロックのデータサイズ、ＭＣＳ（Modulation and Coding Scheme：
変調方式、符号化方式、符号化率を指定する情報）、ＨＡＲＱのＲＶ（Redundancy Version：冗長バージョン）、通信リソースの容量など、トランスポートブロックの送信処理を行なうために必要な情報が含まれている。
【００２３】
トランスポートブロック送信処理部１０１は、入力されたトランスポートブロックに対して、制御情報に従って送信処理を行ない、トランスポートブロックコードワードをマッピング部１０４に出力する。また、どのコードブロックを送信するかを表すコードブロック送信情報を、制御情報送信処理部に出力する。制御情報送信処理部１０２は、上位レイヤから入力される制御情報に、トランスポートブロック送信処理部１０１から入力されるコードブロック送信情報を加えた後に送信処理を行ない、制御情報コードワードをマッピング部１０４に出力する。
【００２４】
マッピング部１０４は、トランスポートブロック送信処理部１０１および制御情報送信処理部１０２からそれぞれ入力される、送信処理済みのトランスポートブロックコードワードと制御情報コードワードに対して、通信リソースへのマッピングおよび変調処理などを行ない、送信情報信号としてアンテナ部１０５を通して外部に出力する。なお、制御情報送信処理部１０２、マッピング部１０４、およびアンテナ部１０５は、送信部を構成する。
【００２５】
受信結果情報受信処理部１０３は、アンテナ部１０５より受信した受信結果情報信号の受信処理を行ない、コードブロック毎の受信結果をトランスポートブロック送信処理部１０１に出力する。また、上位レイヤにはトランスポートブロック全体としての受信結果を出力する。
【００２６】
トランスポートブロック送信処理部１０１は、コードブロック分割部１０、符号化部１１、メモリ部１２−１〜１２−ｎ、レートマッチング部１３、コードブロック結合部１４、コードブロック受信結果情報記憶部１５で構成される。コードブロック分割部１０は、上位レイヤから入力されたトランスポートブロックデータを複数のコードブロックに分割する。符号化部１１は、各コードブロックについてＣＲＣ検査ビット付加処理や誤り訂正符号化処理などを行ない、その処理後のデータ（コードブロックコードワード）をメモリ部１２−１〜１２−ｎに出力する。
【００２７】
メモリ部１２−１〜１２−ｎは、符号化部１１から入力されるコードブロックコードワードを、コードブロック毎に格納し、レートマッチング部１３に出力する。レートマッチング部１３は、後述するコードブロック受信結果情報記憶部１５に記憶されているコードブロック毎の受信結果を参照し、送信の必要があるコードブロックについて、レートマッチング処理を行なって、コードブロック結合部１４に出力する。コードブロック結合部１４は、レートマッチング部１３から入力されるコードブロックコードワードを結合することによってトランスポートブロックコードワードを作成し、マッピング部１０４に出力する。また、どのコードブロックのコードワードを結合したかを表すコードブロック送信情報を、制御情報送信処理部１０２に出力する。
【００２８】
図２は、本発明の実施形態に係る受信装置の一構成を示すブロック図である。図２に示すように、受信装置２００は、トランスポートブロック受信処理部２０１、制御情報受信処理部２０２、デマッピング部２０４、受信結果情報送信処理部２０３、アンテナ部２０５で構成される。アンテナ部２０５にて受信した受信情報信号は、デマッピング部２０４により復調処理およびデマッピング処理などが行なわれ、その結果制御情報コードワードおよびトランスポートブロックコードワードに分離され、それぞれ制御情報受信処理部２０２とトランスポートブロック受信処理部２０１に出力される。
【００２９】
制御情報受信処理部２０２は、制御情報コードワードに受信処理を行なって受信制御情報を取り出し、上位レイヤおよびトランスポートブロック受信処理部２０１に出力する。トランスポートブロック受信処理部２０１は、制御情報受信処理部２０２から入力される制御情報に従い、デマッピング部２０４から入力されるトランスポートブロックコードワードの受信処理を行なってトランスポートブロックを復元し、上位レイヤに出力する。また、復元したトランスポートブロックの復号結果が正しいか否かをＣＲＣによって検査し、その結果もトランスポートブロック復号結果情報として、上位レイヤに出力する。また、コードブロック毎の復号結果をコードブロック受信結果情報として受信結果情報送信処理部２０３に出力する。
【００３０】
受信結果情報送信処理部２０３は、上位レイヤからトランスポートブロックの受信結果情報を受けた際に、トランスポートブロック受信処理部２０１から入力されるコードブロック受信結果情報の送信処理を行ない、アンテナ部２０５を通して送信する。
【００３１】
トランスポートブロック受信処理部２０１は、コードブロック分離部２０、レートデマッチング部２１、ＩＲバッファ部２２、復号部２３、コードブロック格納部２４、トランスポートブロック復元部２５、およびコードブロック受信結果情報記憶部２６で構成される。コードブロック分離部２０は、入力されるトランスポートブロックコードワードを、制御情報受信処理部２０２より入力される制御情報に含まれるコードブロック送信情報に従い、送信されたコードブロック毎のコードブロックコードワードに分離して、レートデマッチング部２１に出力する。
【００３２】
レートデマッチング部２１は、コードブロック分離部２０から入力されるコードブロックコードワードに対してレートデマッチング処理を行ない、その結果をコードブロック符号化データとしてＩＲバッファ部２２に出力する。ＩＲバッファ部２２は、レートデマッチング部２１から入力されるコードブロック符号化データと、すでに格納しているコードブロック符号化データを合成して再格納するとともに、復号部２３に出力する。復号部２３は、ＩＲバッファ部２２から入力されるコードブロック符号化データに対して誤り訂正復号処理を行ない、コードブロック格納部２４に出力する。また、各コードブロックの復号データが正しいか否かをＣＲＣによって検査し、その結果をコードブロック受信結果情報としてコードブロック受信結果情報記憶部２６に出力する。
【００３３】
コードブロック受信結果情報記憶部２６は、復号部２３から入力されるコードブロック復号結果情報を記憶し、受信結果情報送信処理部２０３に出力する。
【００３４】
図３は、本実施形態におけるコードブロック送信情報の一例を示す図である。図３に示すように、コードブロック毎に、送信される場合は１、送信されない場合は０で表している。
【００３５】
図４は、本実施形態におけるコードブロック受信結果情報の一例を示す図である。図４に示すように、コードブロック毎に、受信結果がＯＫの場合は０、ＮＧの場合は１で表している。なお、送信装置１００内のコードブロック受信結果情報記憶部１５、および受信装置２００内のコードブロック受信結果情報記憶部２６にて記憶されるコードブロック受信結果情報も同様の形式で記憶される。
【００３６】
図５Ａは、本実施形態の送信装置および受信装置を用いて通信した場合のシーケンスの一例を示す図である。また、図５Ｂは、受信装置２００側でのコードブロック復号結果を示す図である。なお、図５Ａおよび図５Ｂの例では、トランスポートブロックを構成するコードブロックの数を一例として６として記載しているが、本発明は、この数に限定されるものではない。
【００３７】
まず、送信装置１００から受信装置２００に対して、トランスポートブロックと制御情報が受信装置に対して送信される（ステップＳ１）。このとき、送信装置１００は、コードブロック［１，２，３，４，５，６］すべてを送信するため、コードブロック送信情報を「１１１１１１」として制御情報に含めて送信する。
【００３８】
一方、受信装置２００は、送信装置１００から送られてきた信号をアンテナ部２０５で受信し、デマッピング部２０４にて、制御情報コードワードとトランスポートブロックコードワードに分離し、それぞれ制御情報受信処理部２０２とトランスポートブロック受信処理部２０１にて受信処理を行なう。このとき、トランスポートブロック受信処理部２０１内のコードブロック分離部２０では、制御情報受信処理部２０２からの制御情報に含まれるコードブロック送信情報「１１１１１１」に従い、コードブロック［１，２，３，４，５，６］を受信したものとし、トランスポートブロックコードワードを各コードブロックコードワードに分離する。そして、コードブロック毎にレートデマッチング処理、誤り訂正復号処理、およびＣＲＣによる復号結果の検査を行なう。その結果、一例として、図５Ｂに示すように、コードブロック［１，２，４］は復号結果がＯＫとなり、コードブロック［３，５，６］は復号結果がＮＧとなったものとする。
【００３９】
トランスポートブロック受信処理部２０１は、その各コードブロック受信結果情報「００１０１１」をコードブロック受信結果情報記憶部２６に格納した後、トランスポートブロック全体の復号結果をＮＧとして、上位レイヤに出力する。その後、上位レイヤから受信装置２００にトランスポートブロック受信結果情報（ＮＡＣＫ）が出力される。それを受けた受信結果情報送信処理部２０３は、トランスポートブロック受信処理部２０１内のコードブロック受信結果情報記憶部２６からコードブロック受信結果情報を取り出し、それに送信処理を行なって、送信装置に向けて送信する（ステップＳ２）。
【００４０】
次に、送信装置１００において、受信装置２００から送信された受信結果情報信号を受信すると、受信結果情報受信処理部１０３にて受信処理が行なわれた後に、コードブロック受信結果情報「００１０１１」がトランスポートブロック送信処理部１０１内のコードブロック受信結果情報記憶部１５に出力され、コードブロック受信結果情報記憶部１５がこれを記憶する。また、受信結果情報受信処理部１０３は、トランスポートブロック受信結果情報をＮＧとして上位レイヤに出力する。
【００４１】
その後、上位レイヤからトランスポートブロックの再送要求が制御情報とともに送信装置１００に出力される。トランスポートブロック送信処理部１０１は、コードブロック受信結果情報記憶部１５に記憶されているコードブロック受信結果情報「００１０１１」に従い、コードブロック［３，５，６］のみのコードブロック符号化データを、対応するメモリ部１２−１〜１２−ｎのいずれかから取り出し、レートマッチング部１３にて制御情報に従ってレートマッチング処理を行なった後、コードブロック結合部１４にて結合し、トランスポートブロックコードワードとしてマッピング部１０４に出力する。
【００４２】
また、トランスポートブロック送信処理部１０１からコードブロック送信情報「００１０１１」が制御情報送信処理部１０２に出力される。制御情報送信処理部１０２は、制御情報にコードブロック送信情報「００１０１１」を含めて送信処理を行ない、制御情報コードワードをマッピング部１０４に出力する。その後、マッピング部１０４にて送信情報信号として受信装置２００に対して送信される（ステップＳ３）。
【００４３】
一方、受信装置２００は、前回と同様に、送信装置１００から送られてきた無線信号をアンテナ部２０５で受信し、デマッピング部２０４にて、制御情報コードワードとトランスポートブロックコードワードに分離し、それぞれ制御情報受信処理部２０２とトランスポートブロック受信処理部２０１にて受信処理を行なう。このとき、トランスポートブロック受信処理部２０１内のコードブロック分離部２０では、制御情報受信処理部２０２からの制御情報に含まれるコードブロック送信情報「００１０１１」に従い、トランスポートブロックコードワードをコードブロック［３，５，６］の各コードブロックコードワードに分離する。
【００４４】
そして、レートデマッチング処理、誤り訂正復号処理、ＣＲＣによる復号結果の検査を行なう。その結果、前回の受信処理時に復号結果がＮＧとなったコードブロックのうち、コードブロック［３，５］は今回の再送によって復号結果がＯＫとなるが、コードブロック［６］についてはＮＧとなったものとする。トランスポートブロック受信処理部２０１は、その各コードブロック受信結果情報「０００００１」をコードブロック受信結果情報記憶部２６に格納した後、トランスポートブロック全体の復号結果をＮＧとして、上位レイヤに出力する。その後、上位レイヤから受信装置２００にトランスポートブロック受信結果情報（ＮＡＣＫ）が出力される。それを受けた受信結果情報送信処理部２０３は、トランスポートブロック受信処理部２０１内のコードブロック受信結果情報記憶部２６からコードブロック受信結果情報「０００００１」を取り出し、それに送信処理を行なって、送信装置に向けて送信する（ステップＳ４）。
【００４５】
次に、送信装置１００において受信装置２００から送信された受信結果情報信号を受信すると、受信結果情報受信処理部１０３にて受信処理が行なわれた後に、コードブロック受信結果情報「０００００１」がトランスポートブロック送信処理部１０１内のコードブロック受信結果情報記憶部１５に出力され、コードブロック受信結果情報記憶部１５がこれを記憶する。また、受信結果情報受信処理部１０３は、トランスポートブロック受信結果情報をＮＧとして上位レイヤに出力する。
【００４６】
その後、上位レイヤからトランスポートブロックの再送要求が制御情報とともに送信装置１００に出力される。トランスポートブロック送信処理部１０１は、コードブロック受信結果情報記憶部１５に記憶されているコードブロック受信結果情報「０００００１」に従い、コードブロック［６］のみのコードブロック符号化データを、対応するメモリ部１２−１〜１２−ｎのいずれかから取り出し、レートマッチング部１３にて制御情報に従ってレートマッチング処理を行なった後、コードブロック結合部１４にて結合し、トランスポートブロックコードワードとしてマッピング部１０４に出力する。
【００４７】
また、トランスポートブロック送信処理部１０１からコードブロック送信情報「０００００１」が制御情報送信処理部１０２に出力される。制御情報送信処理部１０２は、制御情報にコードブロック送信情報「０００００１」を含めて送信処理を行ない、制御情報コードワードをマッピング部１０４に出力する。その後、マッピング部１０４にて送信情報信号として受信装置に対して送信される（ステップＳ５）。
【００４８】
一方、受信装置２００は、前回と同様に、送信装置１００から送られてきた無線信号をアンテナ部２０５で受信し、デマッピング部２０４にて、制御情報コードワードとトランスポートブロックコードワードに分離し、それぞれ制御情報受信処理部２０２とトランスポートブロック受信処理部２０１にて受信処理を行なう。このとき、トランスポートブロック受信処理部２０１内のコードブロック分離部２０では、制御情報受信処理部２０２からの制御情報に含まれるコードブロック送信情報「０００００１」に従い、トランスポートブロックコードワードをコードブロック［６］のコードブロックコードワードとする。
【００４９】
そして、レートデマッチング処理、誤り訂正復号処理、ＣＲＣによる復号結果の検査を行なう。その結果、コードブロック６についてもＯＫとなったものとすると、これですべてのコードブロックの復号結果がＯＫとなったので、トランスポートブロック受信処理部２０１は、コードブロック格納部２４からすべてのコードブロックを読み出し、トランスポートブロック復元部２５にて結合してトランスポートブロックを復元して、上位レイヤに出力するとともに、トランスポートブロック全体の復号結果をＯＫとして上位レイヤに出力する。
【００５０】
また、コードブロック受信結果情報記憶部２６内のコードブロック受信結果情報を「００００００」とする。その後、上位レイヤからトランスポートブロック受信結果情報（ＡＣＫ）が受信装置２００に出力され、受信結果情報送信処理部２０３にてトランスポートブロック受信処理部２０１内のコードブロック受信結果情報記憶部２６からコードブロック受信結果情報「００００００」を取り出し、それに送信処理を行なって、送信装置１００に向けて送信する。その後、送信装置１００で受信装置２００からのコードブロック受信結果情報「００００００」を受信し、終了となる。
【００５１】
このように、本発明の実施形態に係る送信装置１００および受信装置２００によれば、複数のコードブロックで構成されるトランスポートブロックを送信する場合でも、受信が失敗したコードブロックのみを再送することにより、効率のよい通信を行なうことができる。
【００５２】
以上、本発明の実施形態について図面を参照して詳述してきたが、具体的な構成は上記実施形態に限定されるものではなく、この発明の要旨を逸脱しない範囲の設計等も特許請求の範囲に含まれる。
【図面の簡単な説明】
【００５３】
【図１】本発明の実施形態に係る送信装置の一構成を示すブロック図である。
【図２】本発明の実施形態に係る受信装置の一構成を示すブロック図である。
【図３】本実施形態におけるコードブロック送信情報の一例を示す図である。
【図４】本実施形態におけるコードブロック受信結果情報の一例を示す図である。
【図５Ａ】本実施形態の送信装置および受信装置を用いて通信した場合のシーケンスの一例を示す図である。
【図５Ｂ】図５Ｂは、受信装置２００側でのコードブロック復号結果を示す図である。
【図６】非特許文献１で示されているＥ−ＵＴＲＡにおけるデータの送信方法を示す図である。
【符号の説明】
【００５４】
１０  コードブロック分割部
１１  符号化部
１２−１〜１２−ｎ  メモリ部
１３  レートマッチング部
１４  コードブロック結合部
１５  コードブロック受信結果情報記憶部
２０  コードブロック分離部
２１  レートデマッチング部
２２  ＩＲバッファ部
２３  復号部
２４  コードブロック格納部
２５  トランスポートブロック復元部
２６  コードブロック受信結果情報記憶部
１００  送信装置
１０１  トランスポートブロック送信処理部
１０２  制御情報送信処理部
１０３  受信結果情報受信処理部
１０４  マッピング部
１０５  アンテナ部
２００  受信装置
２０１  トランスポートブロック受信処理部
２０２  制御情報受信処理部
２０３  受信結果情報送信処理部
２０４  デマッピング部
２０５  アンテナ部
【図１】
2010147755.tif 000003
【図２】
2010147755.tif 000004
【図３】
2010147755.tif 000005
【図４】
2010147755.tif 000006
【図５Ａ】
2010147755.tif 000007
【図５Ｂ】
2010147755.tif 000008
【図６】
2010147755.tif 000009